(57)【要約】【課題】追加部材無しで、暗黒時のフレーミング補助を行うことが可能なストロボ内蔵カメラを提供する。【解決手段】図４のステップＳ１→ステップＳ４（基準値未満）→ステップＳ５→ステップＳ６のように、撮影時の測光結果が所定輝度未満の場合には、プリ発光を行い、所定時間経過後、通常の撮影処理を行う構成としてあるので、ファインダを介して見た被写体が暗くて良く確認できない場合には、確保した所定時間の間に被写体のファインダ上の配置を十分確認できる。従って、ファインダ上の被写体配置未確認によるピンぼけや露出オーバー（アンダー）等の失敗写真を防止できる。また、プリ発光により瞳孔の開きを小さくするので、いわゆる赤目を防止できる。【選択図】    図４
2004151437.tif 000002
【特許請求の範囲】
【請求項１】
プリ発光と通常発光との双方の発光機能を備えたストロボ内蔵カメラにおいて、
撮影時の測光結果が所定輝度未満の場合には、プリ発光を行い、所定時間経過後、通常の撮影処理を行うことを特徴とするストロボ内蔵カメラ。
【請求項２】
請求項１記載のストロボ内蔵カメラにおいて、
撮影時にストロボを使用しない場合にも、プリ発光を行うことを特徴とするストロボ内蔵カメラ。
【請求項３】
請求項１記載のストロボ内蔵カメラにおいて、
前記プリ発光の光量を、変更可能にしたことを特徴とするストロボ内蔵カメラ。
【請求項４】
請求項３記載のストロボ内蔵カメラにおいて、
前記プリ発光の光量を、測光した輝度に応じて変化させることを特徴とするストロボ内蔵カメラ。
【請求項５】
請求項３記載のストロボ内蔵カメラにおいて、
前記プリ発光の回数を、測光した輝度に応じて変化させることを特徴とするストロボ内蔵カメラ。
【請求項６】
請求項３記載のストロボ内蔵カメラにおいて、
前記プリ発光の光量を発光量格納手段に格納しておき、プリ発光の光量を調整可能にしたことを特徴とするストロボ内蔵カメラ。
【請求項７】
請求項３記載のストロボ内蔵カメラにおいて、
前記プリ発光の光量を、調整可能にするモードを備えたことを特徴とするストロボ内蔵カメラ。
【請求項８】
請求項１記載のストロボ内蔵カメラにおいて、
前記プリ発光後の待ち時間を、変更可能にしたことを特徴とするストロボ内蔵カメラ。
【請求項９】
請求項８記載のストロボ内蔵カメラにおいて、
前記プリ発光後の待ち時間を待ち時間格納手段に格納しておき、プリ発光後の待ち時間を調整可能にしたことを特徴とするストロボ内蔵カメラ。
【請求項１０】
請求項８記載のストロボ内蔵カメラにおいて、
前記プリ発光後の待ち時間を、調整可能にするモードを備えたことを特徴とするストロボ内蔵カメラ。
【請求項１１】
請求項８記載のストロボ内蔵カメラにおいて、
前記プリ発光後の待ち時間中に、ストロボ用蓄電手段の追加充電を行うことを特徴とするストロボ内蔵カメラ。
【請求項１２】
請求項１１記載のストロボ内蔵カメラにおいて、
フレーミング補助機能が有効な場合には、通常の充電レベルより高い充電レベルを設定することを特徴とするストロボ内蔵カメラ。
【請求項１３】
請求項１１または請求項１２記載のストロボ内蔵カメラにおいて、
フレーミング補助機能の使用後、撮影釦半押し用のスイッチがОＦＦされている場合には撮影を中断し、ストロボ用蓄電手段の充電を行うことを特徴とするストロボ内蔵カメラ。
【発明の詳細な説明】
【０００１】
【発明の属する技術分野】
本発明は、ストロボ内蔵カメラに関し、特に、追加部材無しで、暗黒時のフレーミング補助を行うことが可能なストロボ内蔵カメラに関する。
【０００２】
【従来の技術】
従来のストロボ内蔵カメラにおけるストロボ装置（フラッシュ装置）のなかには、本発光のほかにプリ発光（テスト発光）の機能を備えたものがある。本発光がストロボ撮影時の露光のために行われるのに対し、プリ発光は、本発光によって被写体に生じる陰影状態（照明状態，反射の様子，被写体の影の方向・大きさ等）を、ファインダを通して撮影前に確認するために行う。
【０００３】
プリ発光は、ストロボ装置を小光量で間欠発光させることにより行う。即ち、本発光に補助照明として使用されるストロボ発光部をそのまま用い、発光量や発光タイミング，発光周期をコントロールすることで、プリ発光モードに応じた間欠発光によりプリ発光を行う。
プリ発光モードとしては、例えば、ポートレートモード（周波数２Ｈｚ，発光回数３回，発光時間１秒間）やマクロモード（周波数４０Ｈｚ，発光回数１６０回，発光時間４秒間）がある。
【０００４】
ところで、近年、市販のオートフォーカス一眼レフカメラのなかには、アイコントロール機能を有するものが知られている。この機能によれば、視線入力による測距点選択等が可能である。
【０００５】
即ち、使用者がファインダを覗いてファインダ視野内に設けられている複数のフォーカスエリアのうちの１つを見ながら、シャッターボタンを半押しする。すると、使用者の視線を視線検出用ＣＣＤ（Ｃｈａｒｇｅ  Ｃｏｕｐｌｅｄ  Ｄｅｖｉｃｅ）エリアセンサが検知し、その検知された視線位置にあるフォーカスエリアが選択される。そして、その選択されたフォーカスエリアでのピント状態が検出され、その検出結果に基づいたレンズ駆動によって、オートフォーカスが行われる。
【０００６】
しかし、前述のプリ発光中にオートフォーカスの起動を指示する操作（シャッターボタンの半押し，接眼検知動作等）が行われると、撮影者の意図していない被写体（プリ発光中に合焦状態にある主被写体以外の被写体）にピントを合わせるようにオートフォーカス動作が行われてしまい、その結果、被写体像のピント状態が変化してしまう場合がある。
【０００７】
かかるオートフォーカス動作としては、例えば、大きくピントのズレた位置にある被写体（主被写体の背景等）にピントを合わせるために行われるレンズ駆動動作や、低コントラストの被写体にピントを合わせるために行われるローコントラストスキャン動作等が挙げられる。
このように被写体像のピント状態が変化すると、ファインダを通した前記陰影状態の確認作業が中断されるという問題が生じる。
【０００８】
また、プリ発光中、使用者はファインダ内を覗きながら被写体全体を捉えようとするので、常に主被写体を的確に捉えているとは限らない。従って、視線入力による測距点選択が可能な前記カメラにおいて、プリ発光中にオートフォーカスの起動を指示する前記視線検知が行われると、上記と同様、撮影者の意図していない被写体にピントを合わせるようにオートフォーカス動作が行われてしまう。その結果、被写体像のピント状態が変化してしまう場合がある。
従って、この場合もファインダを通した前記陰影状態の確認作業が中断されるという問題が生じる。
【０００９】
前記陰影状態の確認作業を中断させる原因は、オートフォーカス動作によるピント状態の変化に限らない。例えば、ズーミング，２焦点以上の焦点切換えによって焦点距離が変化した場合や、トリミング撮影，パノラマ撮影時にファインダ視野の切換えを行った場合等に生じる画角変化のように、ファインダを通して確認される被写体像状態がプリ発光中に変化すれば、上記確認作業は中断されてしまう。
【００１０】
また、カメラが、オートフォーカスによって得られた撮影距離に基づいて最適な撮影倍率となるようにズーミングを行う機能（オートズーム機能）を備えている場合には、オートフォーカスにズーミングが連動してしまうため、ピント状態変化に画角変化が伴って被写体像状態が変化することになる。
【００１１】
以上の問題点を解決するために、プリ発光中に被写体像状態の設定を指示する操作が行われても、本発光によって被写体に生じる陰影状態を、ファインダを通して撮影前に確認する作業が中断されないようにしたカメラシステムが提案されている（特許文献１参照）。
【００１２】
そして、この従来技術の発明では、プリ発光中にピント状態の設定を指示するオートフォーカス操作が行われても、マイコン（制御手段）が、プリ発光中の（ファインダで確認される）ピント状態が変化しないように、フォーカス駆動部のオートフォーカス動作を制御するようにしている。
【００１３】
【特許文献１】
特開平８−１９０１３６号公報  （第１頁）
【００１４】
【発明が解決しようとする課題】
しかしながら、前記従来技術では、被写体の陰影を確認する為に一連の撮影動作とは無関係のプリ発光や、赤目防止のための本発光前のプリ発光は行われていたものの、一連の撮影動作の中で、プリ発光を行い、フレーミング変更時間経過後、一連の撮影動作を行うことはしていない。
【００１５】
ここに、フレーミングとは、被写体のファインダ内の配置を、確認することをいう。このフレーミング変更時間を確保できれば、フレーミングのズレによる失敗写真を無くすことができる。
【００１６】
また、ストロボ（ストロボ装置）を使用しない場合（暗黒時や暗黒時に近い状態）のフレーミングを補助するためのプリ発光はなかった。このようなことが可能になれば、フレーミングのズレによる失敗写真を無くすことができる。
【００１７】
本発明は、上記の事情にかんがみなされたもので、追加部材無しで、暗黒時のフレーミング補助を行うことが可能なストロボ内蔵カメラの提供を目的とする。
【００１８】
【課題を解決するための手段】
上記目的を達成するため請求項１記載の発明は、プリ発光と通常発光との双方の発光機能を備えたストロボ内蔵カメラにおいて、撮影時の測光結果が所定輝度未満の場合には、プリ発光を行い、所定時間経過後、通常の撮影処理を行う構成としてある。
【００１９】
このようにすれば、例えば、図４のステップＳ１→ステップＳ４（基準値未満）→ステップＳ５→ステップＳ６のように、撮影時の測光結果が所定輝度未満の場合には、プリ発光を行い、所定時間経過後、通常の撮影処理を行う構成としてあるので、ファインダを介して見た被写体が暗くて良く確認できない場合には、確保した所定時間の間に被写体のファインダ上の配置を十分確認できる。
【００２０】
従って、ファインダ上の被写体配置未確認によるピンぼけや露出オーバー（アンダー）等の失敗写真を防止できる。また、プリ発光により瞳孔の開きを小さくするので、いわゆる赤目を防止できる。
【００２１】
次に請求項２記載の発明は、請求項１記載のストロボ内蔵カメラにおいて、撮影時にストロボを使用しない場合にも、プリ発光を行う構成としてある。
【００２２】
このようにすれば、例えば、図４のステップＳ１→ステップＳ４（基準値未満）→ステップＳ５→ステップＳ６の処理を経て、ストロボを発光しないことも可能である。この場合でも、ファインダを介して見た被写体が暗くて良く確認できない場合には、確保した所定時間の間に被写体をファインダ上で十分確認できる。
【００２３】
従って、ファインダ上の被写体配置未確認によるピンぼけや露出オーバー（アンダー）等の失敗写真を防止できる。また、プリ発光により瞳孔の開きを小さくするので、赤目を防止できる。
【００２４】
次に請求項３記載の発明は、請求項１記載のストロボ内蔵カメラにおいて、前記プリ発光の光量を、変更可能にした構成としてある。
このようにすれば、例えば、図５に示すように、プリ発光の発光時間や発光回数を変えてプリ発光の光量を変更できるので、バッテリ（二次電池等）の無駄な消費を防止できる。
【００２５】
次に請求項４記載の発明は、請求項３記載のストロボ内蔵カメラにおいて、前記プリ発光の光量を、測光した輝度に応じて変化させる構成としてある。
このようにすれば、例えば、図５に示すように、ラフ発光の結果により輝度レベル（測光した輝度）に応じてプリ発光の発光時間を変更できるので、バッテリの無駄な消費を防止できる。
【００２６】
次に請求項５記載の発明は、請求項３記載のストロボ内蔵カメラにおいて、前記プリ発光の回数を、測光した輝度に応じて変化させる構成としてある。
【００２７】
このようにすれば、例えば、図５に示すように、ラフ発光の結果により輝度レベルに応じてプリ発光の発光回数を変更できるので、例えば１回のプリ発光では被写体を十分確認できない場合でも、数回プリ発光を繰り返すことにより被写体を十分確認できる。従って、失敗写真が無くなる。
【００２８】
次に請求項６記載の発明は、請求項３記載のストロボ内蔵カメラにおいて、前記プリ発光の光量を発光量格納手段に格納しておき、プリ発光の光量を調整可能にした構成としてある。
【００２９】
このようにすれば、プリ発光の光量を、発光量格納手段（図１のＥＥＰＲＯＭ３０）に格納しておく。発光量格納手段の格納値（設定値）は変更可能であるので、例えばユーザやカメラサービス店の店員により格納値を変更すれば、ユーザの好みの撮影を行うことができる。
【００３０】
次に請求項７記載の発明は、請求項３記載のストロボ内蔵カメラにおいて、前記プリ発光の光量を、調整可能にするモードを備えた構成としてある。
このようにすれば、調整可能のモードとしては、例えば既存のズーム釦（ｚｏｏｍＴ，Ｗ釦）を使用するので、カメラのコストアップを抑制し、使い勝手良くプリ発光の光量を設定できる。
【００３１】
次に請求項８記載の発明は、請求項１記載のストロボ内蔵カメラにおいて、前記プリ発光後の待ち時間を変更可能にした構成としてある。
このようにすれば、プリ発光後の待ち時間をユーザの好みに応じて変更できるので、ユーザが納得したフレーミングを行うことができる。
【００３２】
次に請求項９記載の発明は、請求項８記載のストロボ内蔵カメラにおいて、前記プリ発光後の待ち時間を待ち時間格納手段に格納しておき、プリ発光後の待ち時間を調整可能にした構成としてある。
【００３３】
このようにすれば、待ち時間格納手段（例えば図１のＥＥＰＲＯＭ部３０）のプリ発光後の待ち時間の格納値を変更できるので、ユーザが納得したフレーミングを行うことができる。
【００３４】
次に請求項１０記載の発明は、請求項８記載のストロボ内蔵カメラにおいて、前記プリ発光後の待ち時間を、調整可能にするモードを構成としてある。
このようにすれば、調整可能のモードとしては、例えば既存のズーム釦（ｚｏｏｍＴ，Ｗ釦）を使用するので追加の釦が不要となり、カメラのコストアップを抑制し、且つ使い勝手良くプリ発光の光量を設定できる。
【００３５】
次に請求項１１記載の発明は、請求項８記載のストロボ内蔵カメラにおいて、前記プリ発光後の待ち時間中に、ストロボ用蓄電手段の追加充電を行う構成としてある。
このようにすれば、プリ発光後の待ち時間中にストロボ用蓄電手段（図示省略のコンデンサ）の追加充電を行うので、本発光の際の発光量低下を抑制できる。
【００３６】
次に請求項１２記載の発明は、請求項１１記載のストロボ内蔵カメラにおいて、フレーミング補助機能が有効な場合には、通常の充電レベルより高い充電レベルを設定する構成としてある。
このようにすれば、フレーミング補助機能が有効な場合には、通常より高い充電レベルで充電するので、本発光の際の発光量低下を抑制できる。
【００３７】
次に請求項１３記載の発明は、請求項１１〜請求項１２記載のストロボ内蔵カメラにおいて、フレーミング補助機能の使用後、撮影釦半押し用のスイッチがОＦＦされている場合には、撮影を中断し、ストロボ用蓄電手段の充電を行う構成としてある。
【００３８】
このようにすれば、例えば図４のステップＳ１→ステップＳ４：基準値未満→ステップＳ５→ステップＳ７：ОＦＦ→ステップＳ１７→ステップＳ１８の処理を行うので、ストロボ用蓄電手段（コンデンサ）にストロボ用の充電が可能となり、ストロボ発光に十分な光量を確保できる。
【００３９】
【発明の実施の形態】
以下、本発明を図示の実施形態に基づいて説明する。図１は本実施形態のブロック図である。
図１に示すように、ストロボ内蔵カメラＳＮは、制御部１０と、ストロボ部２０と、ＥＥＰＲＯＭ部３０と、表示部４０と、第１〜第４のスイッチ５１〜５４とを備えてなる。
【００４０】
制御部１０は、ストロボ内蔵カメラＳＮの全機能を制御し、マイクロコンピュータ（マイコン）などからなる（後述）。ストロボ部２０は、補助照明がなく、適正な撮影を行うことが困難な被写体輝度の場合に、補助的な照明を行うための装置である（後述）。
【００４１】
ＥＥＰＲＯＭ部３０は不揮発性メモリであり、標準的な発光時間（または発光回数），フレーミング修正時間のパラメータ等を格納する。
なお、前記パラメータは、図２に示すように、ユーザが設定変更可能にしてもよいし（カスタマイズモード）、サービスセンタなどでカスタマイズする方法をとってもよい。図２は、パラメータ修正モードの例を示す図である。
表示部４０は液晶等からなり、フィルムカウンタに使用する（図２参照）。ユーザが被写体の撮影部分を確認するのに使用する。
【００４２】
第１のスイッチ（ＲＬ１）５１および第２のスイッチ５２（ＲＬ２）は、撮影を行うためのスイッチである。
第１のスイッチ５１は「撮影釦半押し用」のスイッチであり、第１のスイッチ５１が押されると、測光，測距，レンズ駆動（フォーカシング）等を行う。
続いて、「撮影釦押し込み用」の第２のスイッチ５２が押されると、シャッタ開閉，レンズ駆動（初期位置に復帰），フィルム給送，ストロボ充電（ストロボ禁止モード時以外）を行い、一連の撮影動作を終了する。
【００４３】
第３のスイッチ５３はズーム用スイッチであり、５３ａは望遠用（ｚｏｏｍ  Ｔ）スイッチであり、５３ｂはワイド用（ｚｏｏｍ  Ｗ）スイッチである（図２参照）。第４のスイッチ５４は、ＥＥＰＲＯＭ部３０のパラメータを修正する場合に使用するスイッチである。
【００４４】
次に、ストロボ部２０に対する制御部１０による制御を説明する。
ストロボ部２０は撮影時の被写体照明以外の目的（即ち、プリ発光）にも使用するため、あらかじめ決められた２種類の高い電圧レベルと低い電圧レベルに対応した発光量に制御する。
【００４５】
即ち、図３に示すように、プリ発光機能（フレーミング補助機能）が有効な場合には、プリ発光を行っても以後行われる通常のストロボ撮影に支障の無い、通常の充電レベルより高い電圧レベルを設定する。逆に、プリ発光機能が無効な場合には、通常の撮影可能な規定の発光光量が確保できるレベルに設定する。
充電レベルに関しては、通常の撮影可能レベルが３００Ｖ、フルチャージレベルが３２０Ｖと仮定すると、その間に設定する。即ち、プリ発光量の設定状態により、失われる分の充電電圧を補うことが可能な充電レベルに設定する。フレーミング用の待ち時間時の充電も同様に行う。
なお、制御部１０が発光コントロール端子を制御（必要時間アクティブレベルにする）することで、発光光量を自在にコントロール可能な構成となっている。
【００４６】
次に、図４〜図５を参照しつつ、本実施形態の動作を説明する。
図４は本実施形態のフローチャート、図５は発行時間（回数），待ち時間の変化をさせる例を説明する図である。
【００４７】
図４に示すように、第１のスイッチ（ＲＬ１）５１  がＯＮされると（ステップＳ１）、ストロボ発光，レンズ駆動等に使用するバッテリのチェック（ＢＣ）が行われ（ステップＳ２）、測光が行われる（ステップＳ３）。
この測光動作は測光エリア全体の輝度（被写体輝度）をラフに測定する為のものである。測光センサが、複数の部分に分割されている場合は、可能な限り周辺部のセンサで判定を行うか、または、画面全体の平均的な輝度を測光する。
【００４８】
ステップＳ３における輝度レベルの測光結果が、基準値未満（ここでは、ＬＶ３以下（図５参照））の場合は、ファインダ（図示省略）により被写体全体の状況をつかめる状態に無いと判断し（ステップＳ４：基準値未満）、ストロボ部２０を短時間発光（プレ発光）させ、被写体の照明を行う（ステップＳ５）。
【００４９】
ここの発光時間は、被写体の輝度に応じて、図５に示すように、より暗い場合は（例えば、輝度レベル（ＬＶ）０未満）発光時間を長く（または光量を同じにして短時間発光の発光回数を多く）する。
比較的明るい場合は（例えば、輝度レベル（ＬＶ）４）、発光時間を短く（または発光回数を少なく）する。発光時間の長短等は、前述のようにＥＥＰＲＯＭ部３０にパラメータとして、格納されている。
【００５０】
ストロボ発光後、通常の撮影動作に移行する前に、標準で１秒程度の待ち時間を設けて、その時間をフレーミング修正時間（ユーザがフレーミングを修正するために確保する時間）とする。フレーミング修正時間の長短等は、前述のようにＥＥＰＲＯＭ部３０にパラメータとして格納されている。
【００５１】
また、フレーミング修正時間を利用して、ストロボ用コンデンサの追加充電を行い（ストロボ充電）、発光によって失われたエネルギーを補う方式をとれば、実撮影時の光量をより大きくすることが可能である（ステップＳ６）。
【００５２】
プリ発光後、第１のスイッチ５１が離されていれば（ステップＳ７：ОＦＦ）、撮影動作を中断し、直ちにストロボ充電を行うことにより（ステップＳ１７）、次のフレーミングを行うことが可能になる（ステップＳ１８）。
【００５３】
フレーミング修正時間の後であっても、第１のスイッチ５１が押されていれば、正規の測光，測距，フォーカシング等の撮影動作を行う（ステップＳ７：ОＮ）。
即ち、測光を行い（ステップＳ８）、測距を行い（ステップＳ９）、必要に応じてストロボ充電を行い（ステップＳ１０）、フォーカス駆動を行う（ステップＳ１１）。
【００５４】
そして、「撮影釦押し込み用」の第２のスイッチ（ＲＬ２）５２が押されると（ステップＳ１２：ОＮ）、以下のステップＳ１４〜ステップＳ１８のＲＬ２処理を行う（ステップＳ１３）。
即ち、シャッタの開閉を行い（ステップＳ１４）、フォーカス駆動を行い（ステップＳ１５）、フィルム給送を行い（ステップＳ１６）、ストロボ充電を行い（ステップＳ１７）、一連の撮影処理を終了する（ステップＳ１８）。
【００５５】
前記ステップＳ１２において、第２のスイッチ（ＲＬ２）５２がОＦＦの場合には（ステップＳ１２：ОＦＦ）、第１のスイッチ（ＲＬ１）５１がОＦＦであれば（ステップＳ１９：ОＦＦ）、フォーカス駆動を戻し（ステップＳ２０）、処理を終了する（ステップＳ２１）。
【００５６】
以上の構成および処理により、従来、オートフォーカス（ＡＦ）の測距能力，ストロボの照明能力としては充分に撮影可能な範囲内の被写体であるにも拘わらず、ファインダで良く被写体を確認できない輝度であるため、充分なフレーミングが不可能であったり、ＡＦ測距範囲を外したりして、ピンぼけや露出オーバー（アンダー）等の失敗写真となっていた不具合を防止できる。
【００５７】
また、従来の構成に、部品を追加する必要がなく、一連の撮影の流れの中で自然な操作感を得ることができるので、コストをアップすることなく実質的な使い勝手を向上させることが可能となる。
【００５８】
また、発光時間（回数），待ち時間等のパラメータデータを不揮発性メモリ（ＥＥＰＲＯＭ）に格納しておき、例えば、パラメータ修正モードを設けて、パラメータ設定モードが設定されている場合は、ズーム釦等によりパラメータのアップダウンができるような構成とすることで、各ユーザの使い勝手に合わせて、より実用的な構成とすることができる。
【００５９】
また、一連の撮影の流れの中で、被写体が非常に暗い場合には、まずラフなフレーミングを行い、プリ発光により被写体を再確認し、フレーミングを修正後、本撮影を行うことができる。
【００６０】
従って、従来被写体が暗い場合にフレーミングがいい加減になり、ひどい場合には、ＡＦフレームから被写体がずれてピンぼけ写真となる事態を減らすことが可能である。また、ストロボを使用しない場合にも、フレーミング補助機能を使用することが可能となり、第１のスイッチ５１のＯＮ−ＯＦＦ  を繰り返すことにより、何度でもフレーミングを修正し、正確な写真撮影を行うことが可能になる。
【００６１】
なお、前記実施形態では銀塩フィルムの場合を説明したが、ファインダに液晶等からなる表示装置を備えたデジタルカメラにおいても、本発明を適用可能であるのは勿論である。
【００６２】
【発明の効果】
以上説明したように本発明によれば、以下の効果を発揮することができる。
請求項１記載の発明によれば、撮影時の測光結果が所定輝度未満の場合には、プリ発光を行い、所定時間経過後、通常の撮影処理を行う構成としてあるので、ファインダを介して見た被写体が暗くて良く確認できない場合には、確保した所定時間の間に被写体のファインダ上の配置を十分確認できる。
【００６３】
従って、ファインダ上の被写体配置未確認によるピンぼけや露出オーバー（アンダー）等の失敗写真を防止できる。また、プリ発光により瞳孔の開きを小さくするので、いわゆる赤目を防止できる。
【００６４】
請求項２記載の発明によれば、ストロボを発光しないことも可能にしているので、ファインダを介して見た被写体が暗くて良く確認できない場合には、確保した所定時間の間に被写体をファインダ上で十分確認できる。従って、ファインダ上の被写体配置未確認によるピンぼけや露出オーバー（アンダー）等の失敗写真を防止できる。また、プリ発光により瞳孔の開きを小さくするので、赤目を防止できる。
【００６５】
請求項３記載の発明によれば、プリ発光の発光時間や発光回数を変えてプリ発光の光量を変更できるので、バッテリの無駄な消費を防止できる。
請求項４記載の発明によれば、ラフ発光の結果により輝度レベル（測光した輝度）に応じてプリ発光の発光時間を変更できるので、バッテリの無駄な消費を防止できる。
【００６６】
請求項５記載の発明によれば、例えば１回のプリ発光では被写体を十分確認できない場合でも、数回プリ発光を繰り返すことにより被写体を十分確認できる。従って、失敗写真が無くなる。
【００６７】
請求項６記載の発明によれば、プリ発光の光量を発光量格納手段に格納しておき、格納値（設定値）は変更可能であるので、例えばユーザやカメラサービス店の店員により格納値を変更すれば、ユーザの好みの撮影を行うことができる。
【００６８】
請求項７記載の発明によれば、プリ発光の光量を調整可能にするモードとしては、例えば既存のズーム釦を使用するので、カメラのコストアップを抑制し、使い勝手良くプリ発光の光量を設定できる。
【００６９】
請求項８記載の発明によれば、プリ発光後の待ち時間をユーザの好みに応じて変更できるので、ユーザが納得したフレーミングを行うことができる。
請求項９記載の発明によれば、待ち時間格納手段のプリ発光後の待ち時間の格納値を変更できるので、ユーザが納得したフレーミングを行うことができる。
【００７０】
請求項１０記載の発明によれば、プリ発光後の待ち時間を調整可能にするモードとして、例えば既存のズーム釦を使用するので、追加の釦が不要となり、カメラのコストアップを抑制し、且つ使い勝手良くプリ発光の光量を設定できる。
【００７１】
請求項１１記載の発明によれば、プリ発光後の待ち時間中にストロボ用蓄電手段の追加充電を行うので、本発光の際の発光量低下を抑制できる。
請求項１２記載の発明によれば、フレーミング補助機能が有効な場合には、通常より高い充電レベルで充電するので、本発光の際の発光量低下を抑制できる。
【００７２】
請求項１３記載の発明によれば、フレーミング補助機能の使用後、撮影釦半押し用のスイッチがОＦＦされている場合には、撮影を中断し、ストロボ用蓄電手段の充電を行う構成としてあるので、ストロボ用蓄電手段にストロボ用の充電が可能となり、ストロボ発光に十分な光量を確保できる。
【図面の簡単な説明】
【図１】本発明の実施形態のブロック図である。
【図２】同実施形態における、パラメータ修正モードの例を示す図である。
【図３】同実施形態における、ストロボ用コンデンサへの充電レベルを説明する図である。
【図４】同実施形態における、フローチャートである。
【図５】同実施形態における、発光時間（回数），待ち時間の変化をさせる例を説明する図である。
【符号の説明】
ＳＮ  ストロボ内蔵カメラ
１０  制御部
２０  ストロボ部
３０  ＥＥＰＲＯＭ部
４０  表示部
５１  第１のスイッチ
５２  第２のスイッチ
５３  第３のスイッチ
５３ａ  第３のスイッチにおける望遠用スイッチ
５３ｂ  第３のスイッチにおけるワイド用スイッチ
５４  第４のスイッチ
【図１】
2004151437.tif 000003
【図２】
2004151437.tif 000004
【図３】
2004151437.tif 000005
【図４】
2004151437.tif 000006
【図５】
2004151437.tif 000007